(57)【要約】【課題】湿式空気清浄機の空気清浄能力を向上させる。【解決手段】本発明に係る湿式空気清浄機は、その上面に空気吸入口５２が形成され、その側面に少なくとも１つの空気排出口５４が形成され、その内部に洗浄水を貯留するハウジング５０と、回転軸５８に固定的に取り付けられ、その上側に散水器６７が一体化され、供給された洗浄水を散水しながら、空気吸入口から吸入した空気を下方へ送る送風ユニット６０と、ハウジング内に貯留されている洗浄水を送風ユニットに供給する給水ユニット７０とを備え、空気吸入口から吸入した空気に洗浄水を吹付けて接触させることによって、空気中の異物を洗浄水に吸着させるように構成されている。【選択図】図２
2008518777.tif 000002
【特許請求の範囲】
【請求項１】
湿式空気清浄機であって、
その上面に空気吸入口が形成され、その側面に少なくとも１つの空気排出口が形成され、その内部に洗浄水を貯留するハウジングと、
回転軸に固定的に取り付けられ、その上側に散水器が一体化され、供給された洗浄水を散水しながら、前記空気吸入口から吸入した空気を下方へ送る送風ユニットと、
前記ハウジング内に貯留されている洗浄水を前記送風ユニットに供給する給水ユニットとを備え、
前記空気吸入口から吸入した空気に前記洗浄水を吹付けて接触させることによって、前記空気中の異物を前記洗浄水に吸着させることを特徴とする湿式空気清浄機。
【請求項２】
請求項１に記載の湿式空気清浄機であって、
前記送風ユニットの下方に設置され、前記送風ユニットから散水された後に落下した前記洗浄水を二次的に散水する散水ユニットをさらに備えることを特徴とする湿式空気清浄機。
【請求項３】
請求項２に記載の湿式空気清浄機であって、
前記散水ユニットは、
前記回転軸に固定的に取り付けられ、上部が開放された円筒状の形状を有しその周面に多数の放出孔が形成されたドラムと、
前記ハウジングの内側の側壁から前記ドラムの上方に向かって斜めに延設された捕集部材とを含むことを特徴とする湿式空気清浄機。
【請求項４】
請求項１に記載の湿式空気清浄機であって、
前記散水ユニットの下方に設置され、その一部が前記洗浄水中に浸され、前記洗浄水を吸い上げて前記ハウジング内に散水する浄化ユニットをさらに備えることを特徴とする湿式空気清浄機。
【請求項５】
請求項１に記載の湿式空気清浄機であって、
前記浄化ユニットは、
その下端が洗浄水中に浸され、上側から下側に向かうにつれて狭くなるじょうご状の形状を有する内側ガイド部と、
前記内側ガイド部の上端に接続された水噴射ノズルと、
前記回転軸に取り付けられ、前記空気を下方へ送る送風機と、
前記内側ガイド部の外側に離間して設けられ、前記送風機によって下方に送られた空気と前記水噴射ノズルから噴射された洗浄水とを前記ハウジング内に貯留されている前記洗浄水中に流入させる間隙を前記内側ガイド部との間に有する外側ガイド部とを含むことを特徴とする湿式空気清浄機。
【請求項６】
請求項１に記載の湿式空気清浄機であって、
前記給水ユニットは、
前記ハウジングの下端部から前記送風ユニットの上方の位置まで延びた給水管と、
前記洗浄水を揚水すべく、前記給水管の一側に取り付けられたポンプとを含むことを特徴とする湿式空気清浄機。
【請求項７】
請求項１に記載の湿式空気清浄機であって、
前記ハウジングは、
前記空気排出口の下端から外側に突出し、所定の角度で上方に傾斜して延設された凝縮部をさらに含み、
前記空気排出口に到達した前記洗浄水が前記凝縮部で凝縮して、再び前記ハウジングの内側に落下するように構成されたことを特徴とする湿式空気清浄機。
【請求項８】
請求項１に記載の湿式空気清浄機であって、
前記空気排出口は、
前記散水ユニットと前記浄化ユニットとの間に位置するように、前記ハウジングの側面に形成されたことを特徴とする湿式空気清浄機。
【発明の詳細な説明】
【技術分野】
【０００１】
本発明は、湿式空気清浄機に関し、より詳細には、湿式空気清浄機の内部に吸入した空気をハウジング内に貯留されている洗浄水中に導き、前記空気と前記洗浄水との間の接触を最大化することによって、前記空気中の異物を効果的に除去することできる湿式空気清浄機に関する。
【背景技術】
【０００２】
一般に、空気清浄機は、浄化媒体を使用して、微細ダスト、様々な有害ガス、様々な細菌、カビ、ウイルスなどを含んでいる室内空気から異物を除去した後、きれいな空気を排出する装置である。このような空気清浄機は、室内空気を清潔かつ快適に保つという主要な機能の他にも、不快臭や小粒子（例えば、ダニ、花粉、ペットの毛）を除去する機能や、空気感染による病気発生を予防する機能などを有するため、四季を通じて使用することができる。
【０００３】
空気清浄機は、乾式と湿式に大きく２つに分けられる。乾式空気清浄機は、さらに、フィルタ式と電気集塵式に分けられる。
【０００４】
集塵式空気清浄機は、フィルタを使用しないため、フィルタの交換が不要という長所がある。しかし、電気集塵板にダストが溜まると、空気清浄機の清浄能力が低下し、ダストを除去する能力が弱まる。
【０００５】
フィルタ式空気清浄機は、空気がフィルタを通過する間に、様々な微粒子を捕集することができるので清浄能力に優れており、黄砂が発生する季節の使用に適している。しかし、フィルタを周期的に交換する必要があるので、メンテナンス費用が高いという短所がある。
【０００６】
一方、湿式空気清浄機は、吸入した空気を水に接触させることによって、吸入した空気中の浮遊粒子状物質を水に吸着させる方法を用いている。湿式空気清浄機は、まだ一般に広く使用されてはいないが、フィルタの交換が不要であり、騒音がほとんど発生しない、加湿機能を有するなどの多くの長所がある。そのため、湿式空気清浄機は、子供用に使用することが好ましい。しかし、湿式空気清浄機は、水の入れ替えや補充が必要であるため、乾式空気清浄機を使用する場合と比べると、手間がかかるという短所がある。
【０００７】
図１は、特許文献１に記載されている、従来の湿式空気清浄機を示す図である。
【０００８】
図１に示すように、吸入口１１には、ウォーターフィルタ１２が設置されている。ウォーターフィルタ１２は、空気中のダストや細菌を洗い流すべく、ミネラルを放出しながら水を送出する。水は、貯水槽１９からウォーターフィルタ１２へと循環する。ウォーターフィルタ１２の上側に設置されたウォータートレイ１３は、給水管２３を介してウォーターポンプ２２に連結される。ウォーターポンプ２２は、連結管２１を介して貯水槽１９又は給水部２４に連結されており、ウォーターフィルタ１２のウォータートレイ１３に水を揚水する。連結管２１には給水弁２５が設置されており、コントローラ２９の制御によって開放又は閉鎖される。
【０００９】
貯水槽１９の内部にはフロートスイッチ２６が設置されており、廃水排出管２８には廃水弁２７が設置されている。フロートスイッチ２６及び廃水弁２７は、給水弁２５と同様に、コントローラ２９と電気的に接続されている。
【００１０】
ウォーターフィルタ１２の空気排出口１６の下流側には空気吸入ファン１８が設置されている。ファン１８がモータ１７によって回転されると、空気吸入口を通じて空気を吸入する。モータ１７は、コントローラ２９に接続されているモータ駆動回路３０に接続されている。
【００１１】
ウォーターフィルタ１２の上側にはウォータートレイ１３が、前記フィルタ１２の下側には集塵トレイ１４が設置されている。ウォータートレイ１３と捕集トレイ１４との間には、多数のウォータープレート１５が、傾斜して所定の間隔で積層されている。
【００１２】
上記のように構成された従来の空気洗浄機は、ウォーターフィルタによって空気中の異物（例えば、ダストや細菌など）を除去しつつ、人体に有益なミネラルを放出する。
【００１３】
しかしながら、このような従来の空気洗浄機では、水が流れるフィルタ中を横切る空気流路が形成される。そのため、空気が洗浄水と接触する時間は、空気がフィルタを横切る時間に限定される。その結果、洗浄水が空気から異物を捕集する時間は十分ではなく、空気の清浄能力がある一定レベル以上は向上しないという問題点があった。
【００１４】
その上、従来の空気清浄機は、構造が複雑であり多数の部品を必要とするため、製造に要する時間及びコストを低減させることができず、空気清浄機の値段を下げるのには限界があった。
【００１５】
上述した問題点を解決するために、洗浄水が所定の空間に貯蔵され、送風ユニット及び噴射ユニットが同じ空間に設置されるという、簡単な構造を有する湿式空気清浄機が提案されている。このような湿式空気清浄機の一例が、特許文献２に開示されている。
【００１６】
このような湿式空気清浄機は、室内空気を空気清浄機の内部に導入する、及び清浄された空気を空気清浄機の外部に排出する空気循環通路を備えている。また、前記湿式空気清浄機は、空気循環通路を通じて空気を循環させる送風ユニットと、空気清浄機の噴射空間内で水を噴射する噴射ユニットとをさらに備えている。
【００１７】
前記送風ユニットは、前記噴射空間に空気を吸入するためのファンと、そのファンを駆動するためのモータとを含む。前記噴射ユニットは、空気清浄機から水を揚水するためのポンプと、その水を噴射空間内に噴射するためのノズルとを有している。
【００１８】
空気循環通路内に導入された空気は、一般に、上方から下方に流れ、水は下側から上側に噴射される。そして、空気清浄機内に導入された空気に、ノズルから噴射した液体微粒子を接触させることによって、空気中の異物を水に吸着させる。
【００１９】
しかし、このような従来の湿式空気清浄機では、室内空気を循環させるための送風ユニットと、水を噴射するための噴射ユニットは別個に設置される。そのため、空気洗浄機の部品数を所定数以下に減らすことができなかった。
【００２０】
また、このような湿式空気清浄機では、微細ダストを捕集した水滴が、清浄された空気と共に空気清浄機の外部に排出されるため、清浄能力が低下するという問題や、室内の湿度が高くなるという問題があった。さらに、従来は、洗浄水と空気との接触が不十分であるため、清浄能力は十分ではなかった。
【００２１】
【特許文献１】大韓民国特許第１０−０２０５５６６号明細書
【００２２】
【特許文献２】特開２０００−３３４２４０号公報
【発明の開示】
【発明が解決しようとする課題】
【００２３】
本発明の課題は、空気清浄機の内部に吸入した室内空気に対して洗浄水を噴射して前記空気中から異物を除去する散水ユニットを複数有し、前記空気と前記洗浄水との間の接触を最大化することができる湿式空気清浄機を提供することにある。
【課題を解決するための手段】
【００２４】
前記課題を解決すべく、本発明に係る湿式空気清浄機は、その上面に空気吸入口が形成され、その側面に少なくとも１つの空気排出口が形成され、その内部に洗浄水を貯留するハウジングと、回転軸に固定的に取り付けられ、その上側に散水器が一体化され、供給された洗浄水を散水しながら、前記空気吸入口から吸入した空気を下方へ送る送風ユニットと、前記ハウジング内に貯留されている洗浄水を前記送風ユニットに供給する給水ユニットとを備え、前記空気吸入口から吸入した空気に前記洗浄水を吹付けて接触させることによって、前記空気中の異物を前記洗浄水に吸着させるように構成されている。
【発明の効果】
【００２５】
本発明によれば、空気吸入口はハウジングの上面に形成され、空気排出口はハウジングの側壁に形成される。そして、空気吸入口から吸入した室内空気を、ハウジング内に貯留されている洗浄水中に導くことによって、空気と洗浄水との接触を最大化することができる。その結果、空気の清浄能力が向上するという効果を奏する。
【００２６】
さらに、ハウジングの内部の中央に設置された回転軸に、送風ユニット及び複数の散水ユニットを取り付けることで、送風ユニットと散水ユニットを同時に回転させることができるので、空気の送風及び洗浄水の散水を同時に行うことが可能となる。また、上記構成により、空気清浄機を小型化することができるので、様々な場所により容易に設置することが可能となる。
【発明を実施するための最良の形態】
【００２７】
以下、添付した図面を参照しつつ、本発明に係る湿式空気清浄機の好適な実施形態について詳細に説明する。
【００２８】
図２は、本発明に係る湿式空気清浄機の断面図である。
【００２９】
図２に示すように、本発明に係る湿式空気清浄機は、空気吸入口５２及び空気排出口５４が形成された、その内部に洗浄水を貯留するハウジング５０と、空気吸入口５２の下方に設置された送風ユニット６０と、ハウジング５０内に貯留されている洗浄水を送風ユニット６０に供給する給水ユニット７０と、送風ユニット６０の下方に設置された散水ユニット８０と、散水ユニット８０の下方に設置された浄化ユニット９０とを備えている。
【００３０】
ハウジング５０は円筒状に形成されており、その内部（下部）に洗浄水を貯留する。空気吸入口５２はハウジング５０の上面に形成されており、空気排出口５４はハウジング５０の側壁に形成されている。また、ハウジング５０の中央部には、回転軸５８が設置されている。具体的には、回転軸５８は、送風ユニット６０、散水ユニット８０及び浄化ユニット９０の各中央部を貫通して設置されている。
【００３１】
さらに、ハウジング５０は、汚れた洗浄水をハウジング５０の下部から排出する排水ユニット(図示せず)を備えている。
【００３２】
空気排出口５４は、散水ユニット８０と浄化ユニット９０との間に配置されるように、ハウジング５０の側面に形成されている。また、ハウジング５０は、空気排出口５４の下端から外側に突出し、所定の角度で上方に傾斜して延設された凝縮部５６をさらに含む。この凝縮部５６の存在によって、空気排出口５４に到達した洗浄水が濃縮部５６で凝縮して、再びハウジング５０の内部に落下するので、空気清浄機から室内へは、清浄された空気のみが排出される。
【００３３】
給水ユニット７０は、ハウジング５０の下端部からハウジング５０の上端部まで延びる給水管７２と、送風ユニット６０の上方の位置に洗浄水を揚水して供給すべく、給水管７２の一側に設置されたポンプ７４とを含む。
【００３４】
送風ユニット６０は、回転軸５８に固定的に取り付けられている。送風ユニット６０は、空気吸入口５２から空気清浄機の内部に空気を吸入しつつ、給水管７２から落下した洗浄水を前記空気に向かって散水する役割を果たす。このことにより、空気中のダストや異物を、散水された洗浄水に吸着させることができる。送風ユニット６０は、モータ６９によって回転すべく、回転軸５８に固定的に取り付けられたファン本体６２と、空気吸入口５２から室内空気を吸入するためにファン本体６２と共に回転すべく、ファン本体６２の外周面に形成された複数の羽根６６と、洗浄水を空気循環通路に向けて散水すべく、ファン本体６２に形成された散水器６７とを含む。
【００３５】
図４に詳細に示すように、各羽根６６には、多数のガイド６８が形成されている。ガイド６８は、羽根６６の上面に形成されており、半径方向に延びている。このガイド６８の存在によって、羽根６６の上面に落下した洗浄水を、ファン本体６２の周方向に散水することができる。そのために、ガイド６８は、羽根６６の形状と一致するように、曲線状に形成されている。このことにより、洗浄水の散水をより効果的に行うことができる。
【００３６】
散水器６７は、給水管７２から落下した洗浄水をその内部に貯水すべく、ファン本体３２の上面から下向きに凹状に形成された貯水部６５と、ファン本体６２で生じた遠心力によって貯水部６５に貯水された洗浄水をファン本体６２の周方向に噴射すべく、貯水部６５の周面に形成された多数の水噴射孔６４とを含む。
【００３７】
貯水部６５の中央には、回転軸５８が挿入される開口部が形成されており、前記開口部から外周方向にかけては、高さが次第に低くなる傾斜面６９が形成されている。この傾斜面６９の存在により、ファン本体６２の中央部に落下した洗浄水が、貯水部６５の周辺部分に滑り落ちるので、洗浄水をファン本体６２の半径方向に散水することができる。
【００３８】
図２に戻り、散水ユニット８０は、自身を貫通して設置された回転軸５８に、固定的に取り付けられている。散水ユニット８０は、上部が開放された円筒状の形状を有し、その周面に多数の放出孔８４が形成されたドラム８２と、水滴をドラム８２の内部に捕集すべく、ハウジング５０の内壁からドラム８２の上方に向かって斜めに延設された捕集部材８６とを含む。
【００３９】
浄化ユニット９０は、散水ユニット８０の下方に設置されている。浄化ユニット９０の下端部は洗浄水中に浸されており、洗浄水を吸い上げてハウジング内に散水する役割を果たす。図５に詳細に示すように、浄化ユニット９０は、その下端が洗浄水中に浸されており、前記洗浄水を遠心力によって上方に移送すべく、じょうご状の形状を有する内側ガイド部９１と、内側ガイド部９１から提供された洗浄水を噴射すべく、内側ガイド部９１の上端に接続された噴射ノズル９２と、回転軸５８に固定的に取り付けられ、空気を下方に送る送風ファン９４ａを有する送風機９４と、内側ガイド部９１の外側に離間して設けられ、送風機１４０によって下方に送られた空気と水噴射ノズル１２０から噴射された洗浄水とをハウジング５０に貯留されている洗浄水中に流入させる隙間を内側ガイド部９１との間に有する外側ガイド部１６４とを含む。
【００４０】
図３は、本発明の他の実施形態に係る湿式空気清浄機の断面図である。
【００４１】
図３に示した湿式空気清浄機は、浄化ユニット９００の形状が図２に示した浄化ユニット９０の形状と異なること以外は、図２に示した湿式空気清浄機と同一である。よって、図２に示した湿式空気清浄機と同一の構成要素についての説明は省略する。
【００４２】
以下、本発明に係る湿式空気清浄機の動作について説明する。
【００４３】
電源が供給されると、モータ６９が駆動して送風ユニット６０が回転し、空気吸入口５２から空気が吸入される。吸入された空気は、散水ユニット８０を通過した後、浄化ユニット９０（９００）によって、ハウジング５０内に貯留されている洗浄水に向かって下向きに送られる。そして、空気と洗浄水が接触することによって、空気中に含まれている異物を洗浄水に吸着させる。その結果、清浄された空気が、空気排出口５４から排出され、室内に再循環される。
【００４４】
このとき、給水管７２を通って送風ユニット６０の上方の位置に供給された洗浄水は、落下した後、貯水部６５に貯水される。そして、貯水された洗浄水は、遠心力によって噴出孔６４から噴出され、吸入された空気と接触して異物を吸着捕集する。さらに、噴射された洗浄水は、ハウジング５０の内壁と衝突して、マイナスイオンを発生させる。
【００４５】
その後、送風ユニット６０の下方に落下した洗浄水は、捕集部材８６によってドラム８２の内部に捕集される。そして、洗浄水は、再び放出孔８４から放出され、浄化ユニット９０（９００）が吸引した空気中から異物を吸着捕集する。したがって、異物の除去効率が、さらに向上する。
【００４６】
さらに、浄化ユニット９０（９００）では、送風機９４によって下方に送られた空気は、噴射ノズル９２から噴射された洗浄水中を通過することによって、さらにろ過される。空気は、その後、ハウジング５０の下部に貯留された洗浄水中に導かれる。このことにより、空気と洗浄水との接触が最大化するので、空気排出口５４から空気を排出する前に、再度、空気中の異物を洗浄水によって除去することができる。その結果、快適な室内環境を作ることができる。
【００４７】
以上、本発明の好適な実施形態について説明したが、本発明は上記した実施形態に限定されるものではなく、本発明に係る技術的思想の範囲から逸脱しない範囲内で様々な変更及び変形が可能である。
【図面の簡単な説明】
【００４８】
【図１】従来の湿式空気清浄機を示す図である。
【図２】本発明に係る湿式空気清浄機の断面図である。
【図３】本発明の他の実施形態に係る湿式空気清浄機の断面図である。
【図４】図２及び図３に示した湿式空気清浄機に含まれる送風ユニットの斜視図である。
【図５】図２に示した湿式空気清浄機に含まれる浄化ユニットの斜視図である。
【図１】
2008518777.tif 000003
【図２】
2008518777.tif 000004
【図３】
2008518777.tif 000005
【図４】
2008518777.tif 000006
【図５】
2008518777.tif 000007
【国際調査報告】
2008518777.tif 000008
2008518777.tif 000009
2008518777.tif 000010